(57)【要約】  アウトオブサービス状態中に信号をサーチする技術を記述する。１つの観点において、ネットワークエンティティが、指定エリア内のワイヤレスデバイスに対する情報を収集し、収集した情報に基づいて、少なくとも１つのサーチパラメータ（例えば、スキャンレート）を決定し、サーチパラメータを指定エリア内のワイヤレスデバイスに提供してもよい。ワイヤレスデバイスは、それらがアウトオブサービスであるときに、サーチパラメータにしたがって、信号のサーチを実行してもよい。別の観点において、ワイヤレスデバイスは、ワイヤレスデバイスにより遭遇されるアウトオブサービスイベントに関連した情報を収集し、収集した情報をネットワークエンティティに送り、ネットワークエンティティからサーチパラメータを受信し、アウトオブサービスのときに、サーチパラメータにしたがって、サーチを実行してもよい。
2011522490.tif 000002
【特許請求の範囲】
【請求項１】
ワイヤレス通信システム中での、信号のサーチをサポートする方法において、
複数のワイヤレスデバイスに対する情報を収集することと、
前記収集した情報に基づいて、少なくとも１つのサーチパラメータを決定することと、
ワイヤレスデバイスがアウトオブサービスであるときに、信号のサーチを実行する際に使用するために、前記少なくとも１つのサーチパラメータを前記ワイヤレスデバイスに提供することとを含む方法。
【請求項２】
前記情報を収集することは、アウトオブサービスの継続時間、ワイヤレスデバイスの位置、アウトオブサービスイベントの頻度、ネットワーク負荷、中断した通話、天候状態、または、これらの組み合せ、に関する情報を収集することを含む請求項１記載の方法。
【請求項３】
前記複数のワイヤレスデバイスから、または、少なくとも１つのネットワークエンティティから、あるいは、その両方から、前記複数のワイヤレスデバイスに対する情報を受信することをさらに含む請求項１記載の方法。
【請求項４】
前記少なくとも１つのサーチパラメータは、サーチを実行するレートに対応するスキャンレートを含む請求項１記載の方法。
【請求項５】
前記少なくとも１つのサーチパラメータは、より長いバッテリー寿命が望まれるときに、サーチを実行する際に使用する第１のスキャンレートと、より速い、信号の再捕捉が望まれるときに、サーチを実行する際に使用する第２のスキャンレートとを含み、前記第２のスキャンレートは、前記第１のスキャンレートよりも速い請求項１記載の方法。
【請求項６】
前記少なくとも１つのサーチパラメータを決定することは、
前記収集した情報に基づいて、前記複数のワイヤレスデバイスに対する、平均のアウトオブサービス時間を推定することと、
前記推定された平均のアウトオブサービス時間に基づいて、スキャンレートを決定することとを含む請求項１記載の方法。
【請求項７】
前記少なくとも１つのサーチパラメータを決定することは、
前記スキャンレートを調整することと、
前記調整されたスキャンレートによる、更新された平均のアウトオブサービス時間を決定することと、
前記更新された平均のアウトオブサービス時間が、前記推定された平均のアウトオブサービス時間に比べて改善されている場合に、前記調整されたスキャンレートを使用することとをさらに含む請求項６記載の方法。
【請求項８】
前記少なくとも１つのサーチパラメータを決定することは、
終了条件に遭遇するまで、前記スキャンレートを調整することと、前記更新された平均のアウトオブサービス時間を決定することとを繰返し実行することと、
前記終了条件に遭遇したときに取得される、最終的な、調整されたスキャンレートを使用することとをさらに含む請求項７記載の方法。
【請求項９】
前記少なくとも１つのサーチパラメータを決定することは、
前記複数のワイヤレスデバイスに対する収集情報に基づいて、カバレッジマップを決定することと、
前記カバレッジマップに基づいて、少なくとも１つのエリアに対する少なくとも１つのスキャンレートを決定することとを含む請求項１記載の方法。
【請求項１０】
前記カバレッジマップを決定することは、
前記収集情報から、前記複数のワイヤレスデバイスの、アウトオブサービス継続時間と、位置とを取得することと、
前記複数のワイヤレスデバイスの、アウトオブサービス継続時間と、位置とに基づいて、長いアウトオブサービス時間を有する、乏しいカバレッジのエリアと、短いアウトオブサービス時間を有する、良好なカバレッジのエリアとを識別することとを含む請求項９記載の方法。
【請求項１１】
前記乏しいカバレッジのエリアは、良好なカバレッジのエリアに対するスキャンレートよりも遅いスキャンレートに関係付けられている請求項１０記載の方法。
【請求項１２】
前記情報を収集することは、指定されたエリア内に位置している前記複数のワイヤレスデバイスに対する情報を収集することを含み、前記少なくとも１つのサーチパラメータを提供することは、前記少なくとも１つのサーチパラメータを、前記指定エリア内に位置しているワイヤレスデバイスに提供することを含む請求項１記載の方法。
【請求項１３】
信号のサーチをサポートする装置において、
複数のワイヤレスデバイスに対する情報を収集し、前記収集した情報に基づいて、少なくとも１つのサーチパラメータを決定し、ワイヤレスデバイスがアウトオブサービスであるときに、信号のサーチを実行する際に使用するために、前記少なくとも１つのサーチパラメータを前記ワイヤレスデバイスに提供するように構成されている少なくとも１つのプロセッサを具備する装置。
【請求項１４】
前記少なくとも１つのプロセッサは、アウトオブサービスの継続時間、ワイヤレスデバイスの位置、アウトオブサービスイベントの頻度、ネットワーク負荷、中断した通話、天候状態、または、これらの組み合せ、に関する情報を収集するように構成されている請求項１３記載の装置。
【請求項１５】
前記少なくとも１つのプロセッサは、前記収集した情報に基づいて、前記複数のワイヤレスデバイスに対する、平均のアウトオブサービス時間を推定し、前記推定された平均のアウトオブサービス時間に基づいて、スキャンレートを決定するように構成されている請求項１３記載の装置。
【請求項１６】
前記少なくとも１つのプロセッサは、前記スキャンレートを調整し、前記調整されたスキャンレートによる、更新された平均のアウトオブサービス時間を決定し、前記更新された平均のアウトオブサービス時間が、前記推定された平均のアウトオブサービス時間に比べて改善されている場合に、前記調整されたスキャンレートを使用するように構成されている請求項１５記載の装置。
【請求項１７】
前記少なくとも１つのプロセッサは、前記複数のワイヤレスデバイスに対する収集情報に基づいて、カバレッジマップを決定し、前記カバレッジマップに基づいて、少なくとも１つのエリアに対する少なくとも１つのスキャンレートを決定するように構成されている請求項１３記載の装置。
【請求項１８】
信号のサーチをサポートする装置において、
複数のワイヤレスデバイスに対する情報を収集する手段と、
前記収集した情報に基づいて、少なくとも１つのサーチパラメータを決定する手段と、
ワイヤレスデバイスがアウトオブサービスであるときに、信号のサーチを実行する際に使用するために、前記少なくとも１つのサーチパラメータを前記ワイヤレスデバイスに提供する手段とを具備する装置。
【請求項１９】
前記情報を収集する手段は、アウトオブサービスの継続時間、ワイヤレスデバイスの位置、アウトオブサービスイベントの頻度、ネットワーク負荷、中断した通話、天候状態、または、これらの組み合せ、に関する情報を収集する手段を備える請求項１８記載の装置。
【請求項２０】
前記少なくとも１つのサーチパラメータを決定する手段は、
前記収集した情報に基づいて、前記複数のワイヤレスデバイスに対する、平均のアウトオブサービス時間を推定する手段と、
前記推定された平均のアウトオブサービス時間に基づいて、スキャンレートを決定する手段とを備える請求項１８記載の装置。
【請求項２１】
前記少なくとも１つのサーチパラメータを決定する手段は、
前記複数のワイヤレスデバイスに対する収集情報に基づいて、カバレッジマップを決定する手段と、
前記カバレッジマップに基づいて、少なくとも１つのエリアに対する少なくとも１つのスキャンレートを決定する手段とを備える請求項１８記載の装置。
【請求項２２】
コンピュータ読み取り可能媒体を具備するコンピュータプログラムプロダクトにおいて、
前記コンピュータ読み取り可能媒体は、
複数のワイヤレスデバイスに対する情報を少なくとも１つのコンピュータに収集させるためのコードと
前記収集した情報に基づいて、少なくとも１つのサーチパラメータを前記少なくとも１つのコンピュータに決定させるためのコードと、
ワイヤレスデバイスがアウトオブサービスであるときに、信号のサーチを実行する際に使用するために、前記少なくとも１つのコンピュータに、前記少なくとも１つのサーチパラメータを前記ワイヤレスデバイスに提供させるためのコードとを備えるコンピュータプログラムプロダクト。
【請求項２３】
前記コンピュータ読み取り可能媒体は、
前記収集した情報に基づいて、前記複数のワイヤレスデバイスに対する、平均のアウトオブサービス時間を、前記少なくとも１つのコンピュータに推定させるためのコードと、
前記推定された平均のアウトオブサービス時間に基づいて、前記少なくとも１つのコンピュータにスキャンレートを決定させるためのコードとをさらに備える請求項２２記載のコンピュータプログラムプロダクト。
【請求項２４】
前記コンピュータ読み取り可能媒体は、
前記複数のワイヤレスデバイスに対する収集情報に基づいて、カバレッジマップを前記少なくとも１つのコンピュータに決定させるためのコードと、
前記カバレッジマップに基づいて、少なくとも１つのエリアに対する少なくとも１つのスキャンレートを前記少なくとも１つのコンピュータに決定させるためのコードとをさらに備える請求項２２記載のコンピュータプログラムプロダクト。
【請求項２５】
ワイヤレスデバイスを動作させる方法において、
複数のワイヤレスデバイスに対してネットワークエンティティにより収集された情報に基づいて前記ネットワークエンティティにより決定された、少なくとも１つのサーチパラメータを受信することと、
前記ワイヤレスデバイスがアウトオブサービスであるときに、前記少なくとも１つのサーチパラメータにしたがって、信号のサーチを実行することとを含む方法。
【請求項２６】
前記ワイヤレスデバイスにより遭遇されるアウトオブサービスイベントに関連した情報を収集することと、
前記少なくとも１つのサーチパラメータを決定する際に使用するために、前記収集した情報を前記ネットワークエンティティに送ることとをさらに含む請求項２５記載の方法。
【請求項２７】
前記少なくとも１つのサーチパラメータはスキャンレートを含み、前記方法は、
前記ワイヤレスデバイスの現在の動作状態を決定することと、
前記現在の動作状態に基づいて、前記スキャンレートを調整することとをさらに含み、
サーチは、前記調整されたスキャンレートにしたがって実行される請求項２５記載の方法。
【請求項２８】
前記少なくとも１つのサーチパラメータは、前記ワイヤレスデバイスが前記ネットワークエンティティによりカバーされる全継続時間に対して使用するスキャンレートを含み、
サーチは、前記スキャンレートで実行される請求項２５記載の方法。
【請求項２９】
前記少なくとも１つのサーチパラメータは、前記ワイヤレスデバイスが前記ネットワークエンティティによりカバーされる継続時間中に、前記ネットワークエンティティにより変更可能なスキャンレートを含み、
サーチは、前記スキャンレートで実行される請求項２５記載の方法。
【請求項３０】
ワイヤレス通信のための装置において、
複数のワイヤレスデバイスに対してネットワークエンティティにより収集された情報に基づいて前記ネットワークエンティティにより決定された、少なくとも１つのサーチパラメータを受信し、ワイヤレスデバイスがアウトオブサービスであるときに、前記少なくとも１つのサーチパラメータにしたがって、信号のサーチを実行するように構成されている少なくとも１つのプロセッサを具備する装置。
【請求項３１】
前記少なくとも１つのプロセッサは、前記ワイヤレスデバイスにより遭遇されるアウトオブサービスイベントに関連した情報を収集し、前記少なくとも１つのサーチパラメータを決定する際に使用するために、前記収集した情報を前記ネットワークエンティティに送るように構成されている請求項３０記載の装置。
【請求項３２】
前記少なくとも１つのプロセッサは、前記ネットワークエンティティからスキャンレートを受信し、前記ワイヤレスデバイスの現在の動作状態を決定し、前記現在の動作状態に基づいて、前記スキャンレートを調整し、前記調整されたスキャンレートにしたがって、サーチを実行するように構成されている請求項３０記載の装置。
【請求項３３】
ワイヤレスデバイスを動作させる方法において、
前記ワイヤレスデバイスにより遭遇されるアウトオブサービスイベントに関連した情報を収集することと、
前記収集した情報に基づいて、少なくとも１つのサーチパラメータを決定することと、
前記ワイヤレスデバイスがアウトオブサービスであるときに、前記少なくとも１つのサーチパラメータにしたがって、信号のサーチを実行することとを含む方法。
【請求項３４】
前記情報を収集することは、アウトオブサービスの継続時間、前記ワイヤレスデバイスの位置、アウトオブサービスイベントの頻度、信号強度、または、これらの組み合せ、に関する情報を収集することを含む請求項３３記載の方法。
【請求項３５】
前記少なくとも１つのサーチパラメータを決定することは、
前記ワイヤレスデバイスの現在の動作状態を決定することと、
前記現在の動作状態にさらに基づいて、前記少なくとも１つのサーチパラメータを決定することとを含む請求項３３記載の方法。
【請求項３６】
前記少なくとも１つのサーチパラメータを決定することは、
前記収集した情報に基づいて、前記ワイヤレスデバイスに対する、平均のアウトオブサービス時間を推定することと、
前記推定された平均のアウトオブサービス時間に基づいて、スキャンレートを決定することとを含む請求項３３記載の方法。
【請求項３７】
前記少なくとも１つのサーチパラメータは、前記収集した情報に基づいて決定された第１のスキャンレートを含み、前記方法は、
複数のワイヤレスデバイスに対してネットワークエンティティにより収集された情報に基づいて前記ネットワークエンティティにより決定された、第２のスキャンレートを受信することと、
前記第１および第２のスキャンレートに基づいて、第３のスキャンレートを決定することとをさらに含み、
サーチは、前記ワイヤレスデバイスがアウトオブサービスであるときに、前記第３のスキャンレートにしたがって実行される請求項３３記載の方法。
【請求項３８】
ワイヤレス通信のための装置において、
ワイヤレスデバイスにより遭遇されるアウトオブサービスイベントに関連した情報を収集し、前記収集した情報に基づいて、少なくとも１つのサーチパラメータを決定し、前記ワイヤレスデバイスがアウトオブサービスであるときに、前記少なくとも１つのサーチパラメータにしたがって、信号のサーチを実行するように構成されている少なくとも１つのプロセッサを具備する装置。
【請求項３９】
前記少なくとも１つのプロセッサは、アウトオブサービスの継続時間、前記ワイヤレスデバイスの位置、アウトオブサービスイベントの頻度、信号強度、または、これらの組み合せ、に関する情報を収集するように構成されている請求項３８記載の装置。
【請求項４０】
前記少なくとも１つのプロセッサは、前記ワイヤレスデバイスの現在の動作状態を決定し、前記現在の動作状態にさらに基づいて、前記少なくとも１つのサーチパラメータを決定するように構成されている請求項３８記載の装置。
【請求項４１】
前記少なくとも１つのプロセッサは、前記収集した情報に基づいて、前記ワイヤレスデバイスに対する、平均のアウトオブサービス時間を推定し、前記推定された平均のアウトオブサービス時間に基づいて、スキャンレートを決定するように構成されている請求項３８記載の装置。
【請求項４２】
前記少なくとも１つのプロセッサは、前記収集した情報に基づいて第１のスキャンレートを決定し、複数のワイヤレスデバイスに対してネットワークエンティティにより収集された情報に基づいて前記ネットワークエンティティにより決定された、第２のスキャンレートを受信し、前記第１および第２のスキャンレートに基づいて、第３のスキャンレートを決定し、前記ワイヤレスデバイスがアウトオブサービスであるときに、前記第３のスキャンレートにしたがって、サーチを実行するように構成されている請求項３８記載の装置。
【発明の詳細な説明】
【分野】
【０００１】
本開示は一般に、通信に関し、より詳細には、ワイヤレス通信システム中での、信号をサーチする技術に関する。
【背景】
【０００２】
ワイヤレス通信システムは、音声や、ビデオや、パケットデータや、メッセージングや、ブロードキャストなどのような、さまざまな通信サービスを提供するために幅広く展開されている。これらのシステムは、利用可能なシステムリソースを共有することにより複数のユーザをサポートできる多元接続システムであってもよい。そのような多元接続システムの例は、コード分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システムおよび単一搬送波ＦＤＭＡ（ＳＣ−ＦＤＭＡ）システムを含む。
【０００３】
ワイヤレスデバイス（例えば、セルラ電話機）は、１つ以上のワイヤレス通信システムからサービスを受信できてもよい。電源投入時に、ワイヤレスデバイスは、それがサービスを受信してもよいシステムからの信号をサーチしてもよい。システムが見つけられた場合、ワイヤレスデバイスは、システムに登録してもよい。ワイヤレスデバイスは、システムとアクティブに通信してもよく、または、通信が必要とされない場合、アイドルモードになってもよい。ワイヤレスデバイスが、その後システムを失う場合、ワイヤレスデバイスは、アウトオブサービス状態に入って、サービスを取得してもよい信号を再捕捉してもよい。
【０００４】
アウトオブサービス状態中に、ワイヤレスデバイスは、その動作環境に関する知識を有していないかもしれない。信号の再捕捉は、システムの配備、ユーザモビリティ、チャネル状態、システム負荷などのような、さまざまなファクターに依存し得ることから、ワイヤレスデバイスは、それが、信号を再捕捉できるかどうか、または、信号をいつ再捕捉できるかを知らないかもしれない。ワイヤレスデバイスは、それが、アウトオブサービス状態中に、信号を絶えずサーチする場合、大量のバッテリー電力を消費し得る。この大量のバッテリー電力消費は、待機時間とトーク時間との両方を著しく低減させるかもしれない。
【概要】
【０００５】
アウトオブサービス状態中に信号を効率的にサーチする技術をここで記述する。１つの観点において、ネットワークエンティティが、複数のワイヤレスデバイスに対して情報を収集してもよい。収集した情報は、アウトオブサービスの継続時間、ワイヤレスデバイスの位置、アウトオブサービスイベントの頻度、ネットワーク負荷、中断した通話、天候状態などを含んでいてもよい。ネットワークエンティティは、ワイヤレスデバイスから、および／または、基地局のような他のネットワークエンティティから、情報を受信してもよい。ネットワークエンティティは、収集した情報に基づいて、少なくとも１つのサーチパラメータを決定してもよい。例えば、ネットワークエンティティは、収集した情報に基づいて、ワイヤレスデバイスに対する平均のアウトオブサービス時間を推定してもよく、推定された平均のアウトオブサービス時間に基づいて、スキャンレートを決定してもよい。スキャンレートは、ワイヤレスデバイスが信号のサーチを実行するレートである。ワイヤレスデバイスがアウトオブサービスであるときに、ネットワークエンティティは、信号のサーチを実行する際に使用するために、少なくとも１つのサーチパラメータをワイヤレスデバイスに提供してもよい。
【０００６】
別の観点において、ワイヤレスデバイスは、ワイヤレスデバイスにより遭遇されるアウトオブサービスイベントに関連した情報を収集してもよい。収集した情報は、アウトオブサービスの継続時間、ワイヤレスデバイスの位置、アウトオブサービスイベントの頻度、信号強度などを含んでいてもよい。ワイヤレスデバイスは、収集した情報をネットワークエンティティに送ってもよい。ワイヤレスデバイスは、複数のワイヤレスデバイスに対して収集された情報に基づいてネットワークエンティティにより決定された、少なくとも１つのサーチパラメータ（例えば、スキャンレート）を受信してもよい。ワイヤレスデバイスがアウトオブサービスであるときに、ワイヤレスデバイスは、少なくとも１つのサーチパラメータにしたがって、サーチを実行してもよい。
【０００７】
さらに別の観点において、ワイヤレスデバイスは、ワイヤレスデバイスにより遭遇されるアウトオブサービスイベントに関連した情報を収集してもよく、収集した情報に基づいて、少なくとも１つのサーチパラメータを決定してもよい。ワイヤレスデバイスがアウトオブサービスであるときに、ワイヤレスデバイスは、少なくとも１つのサーチパラメータにしたがって、サーチを実行してもよい。１つの設計において、ワイヤレスデバイスは、収集した情報に基づいて、第１のスキャンレートを決定し、ネットワークエンティティから第２のスキャンレートを受信し、第１および第２のスキャンレートに基づいて、第３のスキャンレートを決定し、第３のスキャンレートにしたがって、サーチを実行してもよい。
【０００８】
本開示のさまざまな観点および特徴を、以下でさらに詳細に説明する。
【図面の簡単な説明】
【０００９】
【図１】図１は、ワイヤレス通信システムを示す。
【図２】図２は、サーチを定期的に実行する設計を示す。
【図３】図３は、信号のサーチをサポートするプロセスを示す。
【図４】図４は、信号のサーチをサポートする装置を示す。
【図５】図５は、ワイヤレスデバイスを動作させるプロセスを示す。
【図６】図６は、ワイヤレスデバイスを動作させる装置を示す。
【図７】図７は、ワイヤレスデバイスを動作させる別のプロセスを示す。
【図８】図８は、ワイヤレスデバイスを動作させる別の装置を示す。
【図９】図９は、ワイヤレスデバイス、基地局、およびネットワークエンティティのブロック図を示す。
【詳細な説明】
【００１０】
ここで記述する技術は、ＣＤＭＡシステムや、ＴＤＭＡシステムや、ＦＤＭＡシステムや、ＯＦＤＭＡシステムや、ＳＣ−ＦＤＭＡシステムのような、さまざまなワイヤレス通信システムに対して使用してもよい。用語“システム”および“ネットワーク”は、区別なく使用されることが多い。ＣＤＭＡシステムは、ユニバーサル地上無線アクセス（ＵＴＲＡ）や、ｃｄｍａ２０００などのような無線技術を実現してもよい。ＵＴＲＡは、広帯域ＣＤＭＡ（ＷＣＤＭＡ）と、ＣＤＭＡの他の変形体とを含む。ｃｄｍａ２０００は、ＩＳ−２０００、ＩＳ−９５およびＩＳ−８５６の標準規格をカバーする。ＩＳ−２０００は、ＣＤＭＡ２０００ １Ｘ、１Ｘなどとも呼ばれている。ＩＳ−８５６は、高レートパケットデータ（ＨＲＰＤ）、１ｘＥＶ−ＤＯなどとも呼ばれている。ＴＤＭＡシステムは、移動体通信用グローバルシステム（ＧＳＭ（登録商標））のような無線技術を実現してもよい。ＯＦＤＭＡシステムは、進化型ＵＴＲＡ（Ｅ−ＵＴＲＡ）や、ウルトラモバイルブロードバンド（ＵＭＢ）や、ＩＥＥＥ８０２．１６（ＷｉＭＡＸ）や、ＩＥＥＥ８０２．２０や、フラッシュ−ＯＦＤＭ（登録商標）などのような無線技術を実現してもよい。ＵＴＲＡおよびＥ−ＵＴＲＡは、ユニバーサル移動体電気通信システム（ＵＭＴＳ）の一部である。ロングタームエボリューション（ＬＴＥ）は、Ｅ−ＵＴＲＡを使用するＵＭＴＳの、これから出てくるリリースである。ＵＴＲＡ、Ｅ−ＵＴＲＡ、ＵＭＴＳ、ＬＴＥおよびＧＳＭは、“第３世代パートナーシップ・プロジェクト”（３ＧＰＰ）と名付けられた組織からの文書で説明されている。ｃｄｍａ２０００およびＵＭＢは、“第３世代パートナーシップ・プロジェクト２”（３ＧＰＰ２）と名付けられた組織からの文書で説明されている。
【００１１】
図１は、ワイヤレス通信システム１００を示し、ワイヤレス通信システム１００はまた、アクセスネットワーク（ＡＮ）または無線アクセスネットワーク（ＲＡＮ）とも呼ばれてもよい。システム１００は、多数の基地局１２０を含んでいてもよい。基地局は一般に、ワイヤレスデバイスと通信する固定局であり、ノードＢ，進化型ノードＢ、アクセスポイントなどとも呼ばれてもよい。各基地局は、特定の地理的エリアに対して通信カバレッジを提供する。３ＧＰＰにおいて、用語“セル”は、基地局のカバレッジエリアおよび／または、このエリアを担当する基地局サブシステムを指すことができる。
【００１２】
基地局制御装置（ＢＳＣ）１２２が、１組の基地局に結合して、これらの基地局に対して、調整および制御を提供してもよい。移動交換局（ＭＳＣ）１２４が、１組のＢＳＣに結合し、ワイヤレスデバイスに対する通信サービスをサポートしてもよい。ＢＳＣ１２２およびＭＳＣ１２４は、他のシステムにおいて他の名前により呼ばれてもよい。システム１００は、図１中で示していない他のネットワークエンティティを含んでいてもよい。ネットワークエンティティ１３０は、以下で説明するように、ワイヤレスデバイスによるサーチを容易にする機能を提供してもよい。ネットワークエンティティ１３０は、（図１中で示すような）ＢＳＣ１２２、ＭＳＣ１２４、基地局１２０、および／または、他のネットワークエンティティに結合していてもよい。ネットワークエンティティ１３０はまた、基地局、ＭＳＣ、または、他の何らかのネットワークエンティティ、の一部であってもよい。ネットワークエンティティ１３０はまた、中央エンティティ、ネットワークサーバなどと呼ばれてもよい。
【００１３】
ワイヤレスデバイス１１０が、システム全体にわたって分散されていてもよく、各ワイヤレスデバイスは、固定されたものであってもよく、または、移動するものであってもよい。ワイヤレスデバイスはまた、移動局（ＭＳ）、ユーザ機器（ＵＥ）、端末、アクセス端末、加入者ユニット、局などと呼ばれてもよい。ワイヤレスデバイスは、セルラ電話機、パーソナルデジタルアシスタント（ＰＤＡ）、ワイヤレスモデム、ハンドヘルドデバイス、ラップトップコンピュータなどであってもよい。ワイヤレスデバイスは、フォワードリンクおよび／またはリバースリンク上で基地局と通信して、通信サービスを取得してもよい。図１において、両端に矢印を有する実線は、ワイヤレスデバイスと基地局との間のアクティブな通信を表してもよい。一端に矢印を有する破線は、信号をサーチしているワイヤレスデバイスを表してもよい。
【００１４】
ワイヤレスデバイスは、位置決定能力を有していてもよく、衛星１４０からの信号を受信してもよい。衛星１４０は、米国のグローバルポジショニングシステム（ＧＰＳ）、欧州のガリレオシステム、ロシアのＧＬＯＮＡＳＳシステム、または、グローバルナビゲーション衛星システム（ＧＮＳＳ）の一部であってもよい。ワイヤレスデバイスは、衛星１４０からの信号を測定し、衛星に対する擬似距離測定値を取得してもよい。代わりに、または、追加として、ワイヤレスデバイスは、基地局１２０からの信号を測定して、基地局に対するタイミング測定値を取得してもよい。擬似距離測定値および／またはタイミング測定値を使用して、ワイヤレスデバイスに対する位置推定を導出してもよい。
【００１５】
ワイヤレスデバイスは、電源投入時に、システムからの信号をサーチしてもよい。システムが見つけられた場合、ワイヤレスデバイスは、（ｉ）接続モードで、システムとアクティブに通信して、通信サービスを取得する、または、（ｉｉ）通信が必要とされない場合、アイドルモードで、システムにキャンプする、のいずれかで動作してもよい。ワイヤレスデバイスは、（例えば、ワイヤレスデバイスが、サービスのないエリアにある場合）電源投入時にシステムを捕捉しないかもしれず、あるいは、アイドルモードまたは接続モード中に、（例えば、ユーザの移動性または無線リンクの失敗に起因して）捕捉したシステムを失うかもしれない。ワイヤレスデバイスは、アウトオブサービス状態に入って、信号をサーチしてもよい。
【００１６】
ワイヤレスデバイスは、アウトオブサービス状態中に、サーチを定期的に実行して、信号を検出してもよい。サーチは、スキャン、システムサーチ、セルサーチ、信号再捕捉などと呼ばれてもよい。以下で記述するように、異なるシステムに対して異なる方法で、サーチを実行してもよい。
【００１７】
図２は、アウトオブサービス状態中に、サーチを定期的に実行する設計を示す。この設計において、ワイヤレスデバイスは、Ｔscan_period秒のスキャン期間毎にウェイクアップして、Ｔawake秒の間サーチを実行してもよい。ワイヤレスデバイスは、アウェイク期間後のＴsleep秒の間スリープしてもよく、バッテリー電力を節約して使うために、スリープしている間にできるだけ多くの回路の電源を切断してもよい。したがって、各スキャン期間は、Ｔawake秒のアウェイク／オン期間と、Ｔsleepのスリープ／オフ期間とを含んでいてもよい。スキャン期間およびスキャンレートを、次のように与えてもよい。  
Ｔscan_period＝Ｔawake＋Ｔsleep、および、Ｒscan＝１／Ｔscan_period 
ここで、Ｒscanは、スキャンレートである。
【００１８】
図２中で示した設計において、固定されたアウェイク期間と、固定されたスキャン期間とにより、サーチを実行してもよい。別の設計において、固定されたアウェイク期間と、可変のスキャン期間とにより、サーチを実行してもよい。さらに別の設計において、可変のスキャン期間と、アウェイク期間に対する固定されたデューティーサイクルとにより、サーチを実行してもよい。すべての設計に対して、スキャンレートおよび／またはアウェイク期間は、バッテリー寿命と、信号の再捕捉性能との間のトレードオフに基づいて選択してもよい。より速いスキャンレートおよび／またはより長いアウェイク期間を、より速い信号再捕捉のために選択してもよい。より遅いスキャンレートおよび／またはより短いアウェイク期間を、より長いバッテリー寿命のために選択してもよい。
【００１９】
アウトオブサービス状態中に、ワイヤレスデバイスは、さまざまな方法でサーチを実行してもよい。ユニフォームサーチと呼ばれてもよい１つの設計において、ワイヤレスデバイスは、アウトオブサービス状態の全継続時間に対して、固定されたスキャンレートでサーチを実行してもよい。テレスコピック（ｔｅｌｅｓｃｏｐｉｃ）サーチと呼ばれてもよい別の設計において、ワイヤレスデバイスは、アウトオブサービス状態中に、徐々に遅くなるスキャンレートでサーチを実行してもよい。例えば、ワイヤレスデバイスは、最初のＸ秒に対して、初期のスキャンレートでサーチを実行し、次に、次のＹ秒に対して、より遅いスキャンレートでサーチを実行し、次に、次のＺ秒に対して、さらに遅いスキャンレートでサーチを実行してもよい、などである。両方の設計に対して、スキャンレートおよびアウェイク期間は、（例えば、ワイヤレスデバイスの設計段階の間に）アプリオリに決定されていてもよく、ワイヤレスデバイスがアウトオブサービスに向かうときはいつでも、使用されてもよい。予め設定されているスキャンレートと、アウェイク期間とを使用することは、多くのシナリオにおいて、最適下限の性能を提供するかもしれない。
【００２０】
１つの観点において、スキャンレートおよび／またはサーチのための他の何らかのパラメータを、以下のもののうちの１つ以上に基づいて決定してもよい：  
・ネットワーク情報−システム負荷、中断された通話の数などのような、システムの動作特性に関連した何らかの情報  
・デバイス情報−利用可能なバッテリーの量などのような、ワイヤレスデバイスのステータスに関連した何らかの情報  
・環境情報−ネットワーク情報またはデバイス情報ではない、何らかの情報
一般に、サーチのためのパラメータを決定することに関係があってもよい何らかの情報を収集してもよい。収集した情報を使用して、アウトオブサービス状態の全継続時間に対するユニフォームサーチに使用する、単一のスキャンレートを決定してもよい。また、収集した情報を使用して、テレスコピックサーチに対する、徐々に遅くなるスキャンレートを決定してもよい。一般に、収集した情報を使用して、スキャンレート、アウェイク時間、スリープ時間、（スキャン期間に対するアウェイク時間の割合である）サーチデューティーサイクルなどのような、１つ以上のサーチパラメータを決定してもよい。簡単にするために、スキャンレートを決定するための、収集情報の使用を以下で記述する。このスキャンレートは、アウトオブサービス状態の全継続時間に対するユニフォームサーチに対して使用される単一のスキャンレート、テレスコピックサーチに対する、徐々に遅くなるスキャンレートのうちの最初のスキャンレートなどであってもよい。より遅いスキャンレートは、最初のスキャンレートに基づいて決定してもよい。
【００２１】
１つの設計において、ワイヤレスデバイスは、環境情報と、デバイス情報とを収集してもよい。ワイヤレスデバイスは、収集した情報を使用して、そのスキャンレートを決定してもよい。代わりに、または、さらに、ワイヤレスデバイスは、収集した情報をネットワークエンティティ１３０に送ってもよく、ネットワークエンティティ１３０は、多くのワイヤレスデバイスからの収集情報を使用して、ワイヤレスデバイスにより使用するスキャンレートを決定してもよい。
【００２２】
ワイヤレスデバイスは、以下の環境情報のうちのいくつかまたはすべてを収集してもよい：  
・ワイヤレスデバイスが、アウトオブサービスに向かうとき（例えば、日付および時間）  
・ワイヤレスデバイスがアウトオブサービスに向かうときの、ワイヤレスデバイスの位置  
・ワイヤレスデバイスが信号を再捕捉するとき  
・ワイヤレスデバイスが信号を再捕捉するときのワイヤレスデバイスの位置  
・ワイヤレスデバイスがアウトオブサービスに向かうとき、ワイヤレスデバイスは、移動するものであるか、または、固定されたものであるか  
・各アウトオブサービスイベントの継続時間  
・ワイヤレスデバイスがアウトオブサービスに向かう頻度  
・信号強度、システム識別子（ＩＤ）、時間、およびワイヤレスデバイスの位置
アウトオブサービスの継続時間は、ワイヤレスデバイスがアウトオブサービスに向かうときからワイヤレスデバイスが信号を再捕捉するときまでの時間量である。アウトオブサービスの継続時間は、アウトオブサービス時間、再捕捉時間などと呼ばれてもよい。
【００２３】
ワイヤレスデバイスは、その能力次第で、先にリスト表示した情報のいくつかまたはすべてを収集してもよい。例えば、ワイヤレスデバイスの位置は、ワイヤレスデバイスが位置決定能力を有する場合、利用可能であり、さもなければ、利用可能でないかもしれない。ワイヤレスデバイスの位置は、例えば、衛星ベースの位置決定に対して、細かい精度、ネットワークベースの位置決定に対して、粗い精度のような、ワイヤレスデバイスの位置決定能力次第で、細かい、または、粗い精度を有していてもよい。ワイヤレスデバイスはまた、他のタイプの環境情報を収集してもよい。
【００２４】
ワイヤレスデバイスは、以下のデバイス情報のうちのいくつかまたはすべてを収集してもよい：  
・ワイヤレスデバイスにおいて利用可能なバッテリー電力の量  
・ワイヤレスデバイスがアウトオブサービスに向かうときに、ワイヤレスデバイスは、接続モードであるか、または、アイドルモードであるか  
ワイヤレスデバイスがアウトオブサービスに向かうときに、ワイヤレスデバイスは、音声通話を有しているか、またはデータ通話を有しているか  
ワイヤレスデバイスはまた、他のタイプのデバイス情報を収集してもよい。
【００２５】
ワイヤレスデバイスは、収集した情報に基づいて、スキャンレートを決定してもよい。ワイヤレスデバイスはまた、例えば、ワイヤレスデバイスが信号を再捕捉した後に、収集した情報をネットワークエンティティ１３０に送ってもよい。ワイヤレスデバイスはまた、収集した情報を統合して、例えば、オフピーク時間中のような、都合のよい時間に、情報をネットワークエンティティ１３０に送ってもよい。ワイヤレスデバイスは、ユーザからの入力を必要とせずに、バックグラウンドタスクとして、収集した情報をネットワークエンティティ１３０に自動的に報告してもよい。
【００２６】
別の設計において、ネットワークエンティティ１３０は、ワイヤレスデバイスからの情報を、および／または、基地局１２０、ＢＳＣ１２２、ＭＳＣ１２４などのような他のネットワークエンティティからの情報を収集してもよい。一般に、ネットワークエンティティ１３０は、何らかのサイズの指定エリアに対する情報を収集してもよい。例えば、指定エリアは、基地局のカバレッジエリア、１組の基地局のカバレッジエリア、ＢＳＣのカバレッジエリア、ＭＳＣのカバレッジエリアなどを含んでいてもよい。
【００２７】
ネットワークエンティティ１３０は、以下の環境情報のうちのいくつかまたはすべてを収集してもよい：  
・ワイヤレスデバイスにより収集された環境情報  
・どれくらいの数のワイヤレスデバイスがアウトオブサービスであるか  
・ワイヤレスデバイスにより遭遇されるアウトオブサービスイベントの継続時間  
・ワイヤレスデバイスがアウトオブサービスに向かう回数  
・例えば、アウトオブサービスに向かう前の、および、信号を再捕捉した後の、ワイヤレスデバイスの位置  
どれくらいの数の通話が、指定エリア中で中断されているか  
・指定エリアにおける天候状態
ワイヤレスデバイスの位置は、ワイヤレスデバイスにより決定されて、ネットワークエンティティ１３０に報告されてもよい。ワイヤレスデバイスの位置はまた、ワイヤレスデバイスにより送られ、基地局により測定されるリバースリンク信号に基づいて決定されてもよい。ネットワークエンティティ１３０はまた、他のタイプの環境情報を収集してもよい。
【００２８】
ネットワークエンティティ１３０は、以下のネットワーク情報のうちのいくつかまたはすべてを収集してもよい：  
・指定エリアにおけるネットワーク負荷  
・指定エリア中でワイヤレスデバイスによりなされた通話のタイプ  
・ワイヤレスデバイスによりなされた通話のスループット  
・アクティブな１組の各ワイヤレスデバイスにおける基地局の数
ネットワークエンティティ１３０はまた、他のタイプのネットワーク情報を収集してもよい。ネットワークエンティティ１３０はまた、指定エリア中のワイヤレスデバイスからデバイス情報を収集してもよい。
【００２９】
一般に、ネットワークエンティティ１３０および／またはワイヤレスデバイスは、さまざまなスキームまたはアルゴリズムに基づいて、スキャンレートを決定してもよい。利用可能な情報のタイプ、および、所望の最適化基準次第で、異なるスキームを使用して、例えば、バッテリー寿命を伸ばし、再捕捉性能を向上させ、あるいは両方を実行してもよい。スキャンレートを決定する、いくつかの例示的なスキームを以下で説明する。
【００３０】
１つの設計において、スキャンレートは、平均のアウトオブサービス時間に基づいて決定してもよい。エンティティ（例えば、ワイヤレスデバイスまたはネットワークエンティティ１３０）が、各アウトオブサービスイベントの継続時間に関する情報を収集して、平均のアウトオブサービス時間を決定してもよい。例えば、ワイヤレスデバイスは、ワイヤレスデバイスにより遭遇される各アウトオブサービスイベントの継続時間を決定してもよく、ワイヤレスデバイスに対する平均のアウトオブサービス時間を決定してもよい。ネットワークエンティティ１３０は、指定エリア内のワイヤレスデバイスにより遭遇された各アウトオブサービスイベントの継続時間を取得してもよく、指定エリア内のすべてのワイヤレスデバイスに対して、平均のアウトオブサービス時間を決定してもよい。平均のアウトオブサービス時間はまた、環境情報、ネットワーク情報、および／または、デバイス情報に基づいて推定してもよい。いずれにせよ、スキャンレートは、平均のアウトオブサービス時間に基づいて設定されてもよい。１つの設計において、平均のアウトオブサービス時間がＴ秒である場合、スキャンレートは、Ｔ秒またはη・Ｔ秒に等しくてもよく、ここでηは、所望の最適化基準に依存してもよいスケーリングファクターである。例えば、ηは、再捕捉性能を向上させるために、より小さい値（例えば、η＜１）であってもよく、または、バッテリー寿命を延ばすために、より大きな値（例えば、η＞１）であってもよい。
【００３１】
上述した設計は、（バッテリー寿命および／または再捕捉性能の点から）良好な性能を平均して取得できるように、スキャンレートを決定する。平均のアウトオブサービス時間およびスキャンレートを決定する際に、位置情報は使用されない。ワイヤレスデバイスは、その平均のアウトオブサービス時間に基づいてスキャンレートを決定して、ワイヤレスデバイスがアウトオブサービスに向かうときはいつでも、このスキャンレートを使用してもよい。ネットワークエンティティ１３０もまた、指定エリア内のすべてのワイヤレスデバイスに対する平均のアウトオブサービス時間に基づいて、スキャンレートを決定してもよく、このスキャンレートをワイヤレスデバイスに提供してもよい。各ワイヤレスデバイスは、ワイヤレスデバイスがアウトオブサービスに向かうときはいつでも、ネットワークエンティティ１３０により提供されたスキャンレートを使用してもよい。
【００３２】
１つの設計において、ネットワークエンティティ１３０により、スキャンレートを適応的に更新して、再捕捉性能および／またはバッテリー寿命を向上させてもよい。ネットワークエンティティ１３０は、例えば、上述したように、収集した情報に基づいて、Ｒ（例えば、Ｒ＝１０秒毎に１回）のスキャンレートを決定してもよい。指定エリア内のワイヤレスデバイスは、ネットワークエンティティ１３０により決定されたＲのスキャンレートでサーチを実行してもよい。
【００３３】
ワイヤレスデバイスの平均の再捕捉時間は、スキャン期間に依存していてもよく（例えば、スキャン期間におおよそ等しくてもよい）、スキャン期間は、Ｔ＝１／Ｒである。ネットワークエンティティ１３０は、より高いスキャンレートが、平均の再捕捉時間を改善すると仮定してもよい。ネットワークエンティティ１３０は、平均の再捕捉時間を減少させようとして、Ｒhigher1のより高いスキャンレート（例えば、Ｒhigher1＝５秒毎に１回）を使用するようにワイヤレスデバイスに指示してもよい。ネットワークエンティティ１３０は、アウトオブサービスの継続時間に関する情報を収集して、より高いスキャンレートを使用するワイヤレスデバイスによる、平均の再捕捉時間を決定してもよい。新しい平均の再捕捉時間がＴよりも短い場合、より高いスキャンレートは、平均の再捕捉時間を改善する。ネットワークエンティティ１３０は、Ｒのオリジナルのスキャンレートの代わりに、Ｒhigher1のより高いスキャンレートを使用してもよい。
【００３４】
ネットワークエンティティ１３０は、より速い再捕捉時間に対して、スキャンレートをさらに向上させることを試みてもよい。上述の例において、平均の再捕捉時間が、Ｒhigher1のより高いスキャンレートによる、１／Ｒhigher1に近い場合、ネットワークエンティティ１３０は、例えば、Ｒhigher2＝２．５秒毎に１回のような、Ｒhigher2のさらに高いスキャンレートを選択してもよい。ネットワークエンティティ１３０は、アウトオブサービスの継続時間に関する情報を収集し、Ｒhigher2のより高いスキャンレートが平均の再捕捉時間を改善するかどうかを決定し、それに応じてスキャンレートを選択してもよい。逆に、上述の例において、平均の再捕捉時間が、Ｒhigher1のより高いスキャンレートによるＴに近い場合、ネットワークエンティティ１３０は、例えば、Ｒhigher3＝７．５秒毎に１回のような、Ｒhigher1とＲとの間のスキャンレートを選択してもよい。ネットワークエンティティ１３０は、アウトオブサービスの継続時間に関する情報を収集し、Ｒhigher3のスキャンレートが平均の再捕捉時間を改善するかどうかを決定し、それに応じて、スキャンレートを選択してもよい。平均の再捕捉時間が、もはや改善されないか、または、適切になるまで、ネットワークエンティティ１３０は、（例えば、バイナリサーチまたはリニアサーチを使用して）スキャンレートを繰返し調整してもよい。
【００３５】
別の設計において、収集した情報に基づいて、カバレッジマップを決定してもよく、カバレッジマップを使用して、スキャンレートを決定してもよい。ワイヤレスデバイスがアウトオブサービスに向かうとき、ネットワークエンティティ１３０は、ワイヤレスデバイスの位置、アウトオブサービスの継続時間、および／または他の情報を取得してもよい。ネットワークエンティティ１３０は、短いアウトオブサービスの継続時間を有する良好なカバレッジのエリアと、長いアウトオブサービスの継続時間を有する乏しいカバレッジのエリアとを識別してもよい。ネットワークエンティティ１３０は、異なるエリアに対する平均のアウトオブサービスの継続時間に基づいて、これらのエリア対する適切なスキャンレートを決定してもよい。ネットワークエンティティ１３０は、各エリアに対するスキャンレートを、そのエリア内に位置しているワイヤレスデバイスに提供してもよい。各ワイヤレスデバイスは、その現在の位置に対して適用可能なスキャンレートに基づいて、サーチを実行してもよい。
【００３６】
別の設計において、追加情報を使用して、スキャンレートをさらに改良してもよい。スキャンレートは、ネットワークエンティティ１３０により収集された情報の１つ以上のタイプの関数であってもよい。ワイヤレスデバイスがアウトオブサービスに向かうとき、ネットワークエンティティ１３０は、アウトオブサービスの継続時間、ネットワーク負荷、天候状態、時刻、および／または、他の情報を取得してもよい。ネットワークエンティティ１３０は、収集情報の異なる値に対してスキャンレートを決定してもよい。例えば、ネットワークエンティティ１３０は、快晴、曇り、雨などのような異なる天候状態に対して、平均のアウトオブサービス時間を決定してもよい。ネットワークエンティティ１３０は、各天候状態に対する平均のアウトオブサービス時間に基づいて、その天候状態に対するスキャンレートを決定してもよい。ネットワークエンティティ１３０は、現在の天候状態に対するスキャンレートをワイヤレスデバイスに提供してもよい。
【００３７】
一般に、ネットワークエンティティ１３０は、情報または情報の任意の組み合せの、任意のタイプの関数に基づいて、スキャンレートを決定してもよい。例えば、ネットワークエンティティ１３０は、ネットワーク負荷の関数、時刻の関数などに基づいて、スキャンレートを決定してもよい。情報の異なるタイプに対するスキャンレートの関数は、ルックアップテーブル、線形および／または非線形の方程式などにより実現してもよい。ネットワークエンティティ１３０は、ワイヤレスデバイスに対する現在の動作状態に基づいて、適切なスキャンレートをワイヤレスデバイスに提供してもよい。
【００３８】
別の設計において、異なる最適化基準に対して、異なるスキャンレートを規定してもよい。例えば、Ｒfastのより速いスキャンレートを、より速い再捕捉時間に対して使用してもよく、Ｒslowのより遅いスキャンレートを、バッテリー寿命を延ばすために使用してもよく、Ｒnomの公称スキャンレートを、両方に対して使用してもよく、ここで、Ｒslow＜Ｒnom＜Ｒfastである。１つのスキャンレート（例えば、Ｒnom）は、収集情報に基づいて決定してもよい。他のスキャンレート（例えば、ＲfastおよびＲslow）は、決定されたスキャンレートの関数であってもよい。ワイヤレスデバイスは、所望の性能次第で、適切なスキャンレートを使用してもよい。例えば、ワイヤレスデバイスのバッテリーが少ないとき、または、ワイヤレスデバイスが、アイドルモードにおいてアウトオブサービスに向かうとき、ワイヤレスデバイスは、Ｒslowのより遅いスキャンレートを使用してもよい。ワイヤレスデバイスのバッテリーが十分に充電されているとき、または、ワイヤレスデバイスが接続モードにおいてアウトオブサービスに向かうとき、ワイヤレスデバイスは、Ｒfastのより速いスキャンレートを使用してもよい。
【００３９】
一般に、スキャンレートを決定するために上述したさまざまな設計は、ネットワークエンティティ１３０により、および／または、ワイヤレスデバイスにより、実行してもよい。ネットワークエンティティ１３０は、ネットワークエンティティ１３０によりカバーされている指定エリア内のすべてのワイヤレスデバイスに対する収集情報に基づいて、スキャンレートを決定してもよい。ネットワークエンティティ１３０は、例えば、ワイヤレスデバイスが指定エリアに入るとき、スキャンレートをワイヤレスデバイスに提供してもよい。ネットワークエンティティ１３０はまた、例えば、上述したように、スキャンレートを更新してもよく、これらのワイヤレスデバイスが、ネットワークエンティティ１３０によりサービスが提供される間の任意の時間において、更新したスキャンレートをワイヤレスデバイスに提供してもよい。ワイヤレスデバイスは、ワイヤレスデバイスがサービスを受けている間に、ネットワークエンティティ１３０からスキャンレートを受信し、スキャンレートを記憶させ、ワイヤレスデバイスがアウトオブサービスに向かうときの後の時間において、スキャンレートにしたがってサーチを実行してもよい。
【００４０】
ワイヤレスデバイスは、ワイヤレスデバイスにより収集した情報に基づいて、そのスキャンレートを決定してもよい。１つの設計において、ワイヤレスデバイスは、ワイヤレスデバイスにより決定されたスキャンレートに基づいて、サーチを実行してもよい。別の設計において、ワイヤレスデバイスは、その収集した情報に基づいて、Ｒwdのスキャンレートを決定してもよく、また、指定エリア内のワイヤレスデバイスに対する収集情報に基づいてネットワークエンティティ１３０により決定されたＲneのスキャンレートを受信してもよい。１つの設計において、ワイヤレスデバイスは、以下のように、その計算したスキャンレートと、受信したスキャンレートとに基づいて、Ｒfinalの最終的なスキャンレートを決定してもよい：  
Ｒfinal＝αwd・Ｒwd＋αne・Ｒne              等式（３）  
ここで、αwdは、ワイヤレスデバイスにより決定されたスキャンレートに対する重みであり、αneは、ネットワークエンティティ１３０から受信したスキャンレートに対する重みである。
【００４１】
各重みは、０ないし１の範囲内の値を有していてもよい。αwdのより大きな値を使用して、ワイヤレスデバイスにより決定されるスキャンレートにより大きな重みを与えてもよい。αneのより大きな値を使用して、ネットワークエンティティ１３０により決定されるスキャンレートにより大きな重みを与えてもよい。重みは、αwd＋αne＝１を満たすように制約を受けてもよい。ワイヤレスデバイスは、最終的なスキャンレートに基づいて、サーチを実行してもよい。
【００４２】
固定レートスキャニングと呼ばれてもよい１つの設計において、スキャンレートは、予め定められている時間において、ワイヤレスデバイスに対して取得されてもよい。このスキャンレートは、上述したように、ワイヤレスデバイスにより決定されてもよく、ネットワークエンティティ１３０により提供されてもよく、ワイヤレスデバイスにより決定されたスキャンレートと、ネットワークエンティティにより提供されたスキャンレートとに基づいて、導出されてもよい。ワイヤレスデバイスは、ワイヤレスデバイスが指定エリア内にあり、ネットワークエンティティ１３０によりサービスが提供される全継続時間に対して、このスキャンレートを使用してもよい。
【００４３】
可変レートスキャニングと呼ばれてもよい別の設計において、ワイヤレスデバイスに対するスキャンレートは、ネットワークエンティティ１３０および／またはワイヤレスデバイスにより変更されてもよい。スキャンレートにおける変更は、ワイヤレスデバイスが指定エリア内にあり、ネットワークエンティティ１３０によりカバーされている任意の時間において発生してもよい。
【００４４】
明瞭にするために、サーチのためのスキャンレートを決定するために、技術を特に上述している。技術はまた、（ｉ）アウェイク時間、スリープ時間などのような他のサーチパラメータ、（ｉｉ）コヒーレントな累積時間、非コヒーレントな累積時間などのような信号処理パラメータ、および／または、（ｉｉｉ）サーチに適用可能な他のパラメータ、を決定するために使用してもよい。
【００４５】
明瞭にするために、ワイヤレスデバイスがアウトオブサービスであり、何らかの基地局から適切な信号を受信していないときに、ワイヤレスデバイスにより実行されるサーチに対して、技術を特に上述している。他のシステムまたは無線技術からの信号のサーチ（すなわち、システム間サーチ）や、他の周波数チャネル上の信号のサーチ（すなわち、周波数間サーチ）や、他のセルからの信号のサーチなどのような、他のタイプのサーチに対するサーチパラメータを決定するために、技術を使用してもよい。したがって、用語“アウトオブサービス”は、上述したシナリオのいずれかを包含してもよく、別のシステム、別の無線技術、別の周波数チャネル、別のセルなどに関してアウトオブサービスであることを指してもよい。
【００４６】
図３は、ワイヤレス通信システム中での、信号のサーチをサポートするプロセス３００の設計を示す。プロセス３００は、（以下で説明するように）ネットワークエンティティ１３０により、または、他の何らかのエンティティにより実行されてもよい。ネットワークエンティティ１３０は、複数のワイヤレスデバイスに対する情報を収集してもよい（ブロック３１２）。収集した情報は、アウトオブサービスの継続時間、ワイヤレスデバイスの位置、アウトオブサービスのイベントの頻度、ネットワーク負荷、中断された通話、天候状態、先に与えた他のタイプの情報、または、これらの組み合せを含んでいてもよい。ネットワークエンティティ１３０は、複数のワイヤレスデバイスから、および／または、例えば、基地局１２０、ＢＳＣ１２２、ＭＳＣ１２４などのような、少なくとも１つの他のネットワークエンティティから、情報を受信してもよい。
【００４７】
ネットワークエンティティ１３０は、収集した情報に基づいて、少なくとも１つのサーチパラメータを決定してもよい（ブロック３１４）。１つの設計において、少なくとも１つのサーチパラメータは、サーチを実行するレートに対応するスキャンレートを含んでいてもよい。別の設計において、少なくとも１つのサーチパラメータは、（ｉ）より長いバッテリー寿命が望まれるときに、サーチを実行する際に使用する第１のスキャンレート、（ｉｉ）より速い信号の再捕捉が望まれるときに、サーチを実行する際に使用する第２のスキャンレート、を含んでいてもよく、第２のスキャンレートは、第１のスキャンレートよりも速い。上述したように、少なくとも１つのサーチパラメータは、他のパラメータを含んでもよい。
【００４８】
ブロック３１４の１つの設計において、ネットワークエンティティ１３０は、収集した情報に基づいて、複数のワイヤレスデバイスに対する、平均のアウトオブサービス時間を推定してもよい。ネットワークエンティティ１３０は次に、推定された、平均のアウトオブサービス時間に基づいて、スキャンレートを決定してもよい。ネットワークエンティティ１３０はまた、スキャンレートを調整し、調整されたスキャンレートによる、更新された平均のアウトオブサービス時間を決定し、更新された平均のアウトオブサービス時間が、推定された平均のアウトオブサービス時間と比べて改善されている（すなわち、短い）場合、調整されたスキャンレートを使用してもよい。ネットワークエンティティ１３０は、終了条件に遭遇するまでスキャンレートを繰返し調整してもよく、終了条件は、平均のアウトオブサービス時間が許容できるものであるか、または、さらに改善できないときに、生じてもよい。ネットワークエンティティ１３０は、終了条件に遭遇したときに取得したスキャンレートを使用してもよい。
【００４９】
ブロック３１４の別の設計において、ネットワークエンティティ１３０は、複数のワイヤレスデバイスに対する収集情報に基づいて、カバレッジマップを決定してもよい。カバレッジマップは、長い平均のアウトオブサービス時間を有する、乏しいカバレッジのエリアと、短い平均のアウトオブサービス時間を有する、良好なカバレッジのエリアとを識別することにより、取得されてもよい。これらの異なるエリアは、収集情報により提供され得る、アウトオブサービスの継続時間と、複数のワイヤレスデバイスの位置とに基づいて、識別され得る。平均のアウトオブサービス時間は、それが第１のしきい値を超える場合、長いものであり、または、それが第２のしきい値よりも小さい場合、短いものであると考えられてもよく、しきい値は、適切に選択された値である。ネットワークエンティティ１３０は、カバレッジマップに基づいて、少なくとも１つのエリアに対して、少なくとも１つのスキャンレートを決定してもよい。例えば、乏しいカバレッジのエリアは、より遅いスキャンレートに関係付けられてもよく、良好なカバレッジのエリアは、より速いスキャンレートに関係付けられてもよい。
【００５０】
ネットワークエンティティ１３０は、ワイヤレスデバイスがアウトオブサービスであるとき、信号のサーチを実行する際に使用するために、少なくとも１つのサーチパラメータをワイヤレスデバイスに提供してもよい（ブロック３１６）。ネットワークエンティティ１３０は、指定エリア内に位置しているワイヤレスデバイスに対する情報を収集してもよく、少なくとも１つのサーチパラメータを、指定エリア内に位置しているワイヤレスデバイスに提供してもよい。
【００５１】
図４は、信号のサーチをサポートする装置４００の設計を示す。装置４００は、複数のワイヤレスデバイスに対する情報を収集するモジュール４１２と、収集した情報に基づいて、少なくとも１つのサーチパラメータ（例えば、スキャンレート）を決定するモジュール４１４と、ワイヤレスデバイスがアウトオブサービスであるとき、信号のサーチを実行する際に使用するために、少なくとも１つのサーチパラメータをワイヤレスデバイスに提供するモジュール４１６とを含む。
【００５２】
図５は、ワイヤレスデバイスを動作させるプロセス５００の設計を示す。ワイヤレスデバイスは、ワイヤレスデバイスにより遭遇されるアウトオブサービスイベントに関連した情報を収集してもよい（ブロック５１２）。収集した情報は、アウトオブサービスの継続時間、ワイヤレスデバイスの位置、アウトオブサービスイベントの頻度、信号強度、上述した情報のいずれか、または、これらの組み合せを含んでいてもよい。ワイヤレスデバイスは、少なくとも１つのサーチパラメータを決定する際に使用するために、収集した情報をネットワークエンティティに送ってもよい（ブロック５１４）。ワイヤレスデバイスは、複数のワイヤレスデバイスに対してネットワークエンティティにより収集された情報に基づいてネットワークエンティティにより決定された、少なくとも１つのサーチパラメータを受信してもよい（ブロック５１６）。ワイヤレスデバイスは、その後、ワイヤレスデバイスがアウトオブサービスであるときに、少なくとも１つのサーチパラメータにしたがって、信号のサーチを実行してもよい（ブロック５１８）。
【００５３】
少なくとも１つのサーチパラメータは、ワイヤレスデバイスがネットワークエンティティによりカバーされる全継続時間に対して使用するスキャンレートを含んでいてもよい。代わりに、少なくとも１つのサーチパラメータは、ワイヤレスデバイスがネットワークエンティティによりカバーされている時間中にネットワークエンティティにより変更可能であるスキャンレートを含んでいてもよい。いずれにせよ、ワイヤレスデバイスは、それがアウトオブサービスであるときにスキャンレートでサーチを実行してもよい。１つの設計において、ワイヤレスデバイスは、例えば、その位置や、受信した信号強度や、動作モードや、利用可能なバッテリー電力などのような、その現在の動作状態を決定してもよい。ワイヤレスデバイスは、その現在の動作状態に基づいて、スキャンレートを調整してもよく、調整されたスキャンレートでサーチを実行してもよい。
【００５４】
図６は、ワイヤレスデバイスを動作させる装置６００の設計を示す。装置６００は、ワイヤレスデバイスにより遭遇されるアウトオブサービスイベントに関連した情報を収集するモジュール６１２と、収集した情報をネットワークエンティティに送るモジュール６１４と、複数のワイヤレスデバイスに対してネットワークエンティティにより収集された情報に基づいてネットワークエンティティにより決定された、少なくとも１つのサーチパラメータを受信するモジュール６１６と、ワイヤレスデバイスがアウトオブサービスであるときに、少なくとも１つのサーチパラメータにしたがって、信号のサーチを実行するモジュール６１８とを含む。
【００５５】
図７は、ワイヤレスデバイスを動作させるプロセス７００の設計を示す。ワイヤレスデバイスは、例えば、図５に関して上述した情報のような、ワイヤレスデバイスにより遭遇されるアウトオブサービスイベントに関連した情報を収集してもよい（ブロック７１２）。ワイヤレスデバイスは、収集した情報に基づいて、少なくとも１つのサーチパラメータを決定してもよい（ブロック７１４）。ワイヤレスデバイスは、それがアウトオブサービスであるときに、少なくとも１つのサーチパラメータにしたがって、信号のサーチを実行してもよい（ブロック７１６）。
【００５６】
ブロック７１４の１つの設計において、ワイヤレスデバイスは、収集した情報に基づいて、ワイヤレスデバイスに対する、平均のアウトオブサービス時間を推定してもよい。ワイヤレスデバイスは、推定された平均のアウトオブサービス時間に基づいて、スキャンレートを決定してもよい。１つの設計において、ワイヤレスデバイスは、例えば、その位置や、受信した信号強度や、動作モードや、利用可能なバッテリー電力などのような、その現在の動作状態を決定してもよい。ワイヤレスデバイスは、その現在の動作状態にさらに基づいて、スキャンレートを決定してもよい。
【００５７】
１つの設計において、ワイヤレスデバイスは、収集した情報に基づいて、第１のスキャンレートを決定してもよく、ネットワークエンティティから第２のスキャンレートを受信してもよい。ワイヤレスデバイスは、第１および第２のスキャンレートに基づいて、第３のスキャンレートを決定してもよい。ワイヤレスデバイスは次に、それがアウトオブサービスであるときに、第３のスキャンレートにしたがって、サーチを実行してもよい。
【００５８】
図８は、ワイヤレスデバイスを動作させる装置８００の設計を示す。装置８００は、ワイヤレスデバイスにより遭遇されるアウトオブサービスイベントに関連した情報を収集するモジュール８１２と、収集した情報に基づいて、少なくとも１つのサーチパラメータを決定するモジュール８１４と、ワイヤレスデバイスがアウトオブサービスであるときに、少なくとも１つのサーチパラメータにしたがって、信号のサーチを実行するモジュール８１６とを含む。
【００５９】
図４、６および８中のモジュールは、プロセッサ、電子デバイス、ハードウェアデバイス、電子コンポーネント、論理回路、メモリなど、または、これらの任意の組み合せを含んでいてもよい。
【００６０】
ワイヤレスデバイスは、異なるシステムまたは無線技術に対して、異なる方法でサーチを実行してもよい。ＷＣＤＭＡにおけるサーチに対して、ワイヤレスデバイスは、１つ以上の周波数スキャンを実行して、周波数帯域中で強い周波数チャネルを検出してもよい。ワイヤレスデバイスは、例えば、３ステップのプロセスを使用して、強い各周波数チャネル上で捕捉を試みてもよい。ステップ１において、ワイヤレスデバイスは、ワイヤレスデバイスにおける受信信号を、異なる時間オフセットでローカルに発生したプライマリ同期コード（ＰＳＣ）と相関させることにより、プライマリ同期チャネル（ＳＣＨ）上で送られた、２５６チップのプＰＳＣをサーチしてもよい。ワイヤレスデバイスは、ＰＳＣを使用して、セルの存在を検出し、そのセルのスロットタイミングを確認してもよい。ステップ２において、ワイヤレスデバイスは、ＰＳＣが検出されている各セルにより使用されるセカンダリ同期コード（ＳＳＣ）のパターンを決定してもよい。セルに対して検出されたＳＳＣパターンに基づいて、ワイヤレスデバイスは、そのセルに対して使用される、フレームタイミングとスクランブリングコードグループとを決定できる。ステップ３において、ワイヤレスデバイスは、ＳＳＣパターンが検出されている各セルにより使用されるスクランブリングコードを決定してもよい。各ＳＳＣパターンは、８個のスクランブリングコードのグループに関係付けられている。ワイヤレスデバイスは、８個のスクランブリングコードのそれぞれを評価して、どのスクランブリングコードがセルにより使用されるかを決定してもよい。
【００６１】
ＧＳＭにおけるサーチに対して、ワイヤレスデバイスは、電力スキャンを実行して、周波数帯域中の各無線周波数（ＲＦ）チャネルの受信電力を測定してもよく、強いＲＦチャネルを識別してもよい。ワイヤレスデバイスは次に、（ｉ）周波数補正チャネル（ＦＣＣＨ）上で送られたトーンを検出すること、（ｉｉ）同期チャネル（ＳＣＨ）上で送られたバーストをデコードして、ＧＳＭセルに対するベーストランシーバ局識別コード（ＢＳＩＣ）を取得すること、（ｉｉｉ）ブロードキャスト制御チャネル（ＢＣＣＨ）をデコードして、システム情報を取得すること、により、強い各ＲＦチャネル上で捕捉を試みてもよい。
【００６２】
１ＸまたはＨＲＰＤにおけるサーチに対して、ワイヤレスデバイスは、異なる周波数チャネル上で、例えば、１つ以上の最も最近使用された周波数チャネル、および／または、優先するローミングリスト（ＰＲＬ）中の１つ以上の周波数チャネル上で、パイロットをサーチしてもよい。ワイヤレスデバイスは、パイロットが検出される各周波数チャネル上で捕捉を試みてもよい。
【００６３】
１つの設計において、ワイヤレスデバイスは、スリープに向かうのに先立ってサーチを完了してもよい。この設計において、アウェイク期間は、可変であってもよく、検出される周波数チャネルの数や、受信信号の強度などのような、さまざまなファクターに依存してもよい。別の設計において、ワイヤレスデバイスは、固定されたアウェイク期間に対してサーチを実行してもよい。サーチが、アウェイク期間の間に完了しない場合、サーチのための状態情報をセーブしてもよく、次のアウェイク期間中でサーチを再開してもよい。
【００６４】
図９は、図１中のワイヤレスデバイス１１０と、基地局１２０と、ネットワークエンティティ１３０との設計のブロック図を示す。ワイヤレスデバイス１１０において、モデムプロセッサ９２４は、ワイヤレスデバイスにより送るべきデータを受け取り、データを処理し（例えば、エンコードおよび変調し）、出力チップを発生させてもよい。送信機（ＴＭＴＲ）９３２は、出力チップを調整して（例えば、アナログに変換し、フィルタリングし、増幅し、周波数アップコンバートして）、アンテナ９３４により送信してもよいリバースリンク信号を発生させてもよい。フォワードリンク上で、アンテナ９３４は、基地局１２０および／または他の基地局からフォワードリンク信号を受信してもよい。受信機（ＲＣＶＲ）９３６は、アンテナ９３４からの受信信号を調整して（例えば、フィルタリングし、増幅し、周波数ダウンコンバートし、デジタル化して）、サンプルを提供してもよい。モデムプロセッサ９２４は、サンプルを処理して（例えば、復調およびデコードして）、デコードされたデータを提供してもよい。モデムプロセッサ９２４はまた、ワイヤレスデバイス１１０がアウトオブサービスであるときに、適切なスキャンレートにしたがってサーチを実行してもよい。モデムプロセッサ９２４は、システムにより利用される無線技術（例えば、ＣＤＭＡ １Ｘ、ＨＲＰＤ、ＷＣＤＭＡ、ＧＳＭなど）にしたがって、処理およびサーチを実行してもよい。
【００６５】
制御装置／プロセッサ９２０は、ワイヤレスデバイス１１０における動作を指示してもよい。制御装置／プロセッサ９２０は、図５中のプロセス５００、図７中のプロセス７００、および／または、ここで記述した技術に対する他のプロセスを実行または指示してもよい。制御装置／プロセッサ９２０はまた、ワイヤレスデバイス１１０により遭遇されるアウトオブサービスイベントに関連した情報を収集してもよい。メモリ９２２は、ワイヤレスデバイス１１０に対するプログラムコードとデータとを記憶してもよい。メモリ９２２はまた、収集した情報を記憶してもよく、収集した情報は、スキャンレートを決定するために制御装置／プロセッサ９２０により使用されてもよく、および／または、ネットワークエンティティ１３０に送られてもよい。デジタル信号プロセッサ９２６は、ワイヤレスデバイス１１０に対して、さまざまなタイプの処理を実行してもよい。プロセッサ９２０、９２４および９２６と、メモリ９２２は、特定用途向け集積回路（ＡＳＩＣ）９１０上で実現されてもよい。メモリ９２２はまた、ＡＳＩＣの外部で実現されてもよい。
【００６６】
基地局１２０において、送信機／受信機（ＴＭＴＲ／ＲＣＶＲ）９４６は、ワイヤレスデバイス１１０および／または他のワイヤレスデバイスとの無線通信をサポートしてもよい。制御装置／プロセッサ９４０は、ワイヤレスデバイスとの通信のために、さまざまな機能を実行してもよい。制御装置／プロセッサ９４０はまた、図３中のプロセス３００、および／または、ここで記述した技術に対する他のプロセスを実行または指示してもよい。制御装置／プロセッサ９４０はまた、例えば、上述した環境情報およびネットワーク情報のような、基地局１２０により担当されるワイヤレスデバイスに対する情報を収集してもよい。メモリ９４２は、基地局１２０に対するプログラムコードおよびデータを記憶してもよい。メモリ９４２はまた、収集した情報を記憶してもよく、収集した情報は、スキャンレートを決定するために制御装置／プロセッサ９４０により使用されてもよく、および／または、ネットワークエンティティ１３０に送られてもよい。通信（Ｃｏｍｍ）ユニット９４４は、例えば、ネットワークエンティティ１３０のような、他のネットワークエンティティとの通信をサポートしてもよい。一般に、基地局１２０は、任意の数の制御装置、プロセッサ、メモリ、送信機、受信機、通信ユニットなどを含んでもよい。
【００６７】
ネットワークエンティティ１３０において、制御装置／プロセッサ９５０は、ワイヤレスデバイスによるサーチをサポートする、さまざまな機能を実行してもよい。制御装置／プロセッサ９５０は、図３中のプロセス３００、および／または、ここで記述する技術に対する他のプロセスを実行または指示してもよい。メモリ９５２は、ネットワークエンティティ１３０に対するプログラムコードおよびデータを記憶してもよい。メモリ９５２はまた、収集した情報を記憶してもよく、収集した情報は、ワイヤレスデバイス、基地局、および／または、他のネットワークエンティティから受信してもよい。制御装置／プロセッサ９５０は、収集した情報に基づいて、スキャンレートおよび／または他のサーチパラメータを決定してもよい。通信ユニット９５４は、例えば、基地局１２０、ＢＳＣ１２２、ＭＳＣ１２４などのような、他のネットワークエンティティとの通信をサポートしてもよい。一般に、ネットワークエンティティ１３０は、任意の数の制御装置、プロセッサ、メモリ、通信ユニットなどを含んでもよい。
【００６８】
さまざまな異なる技術および技法のいずれかを使用して情報および信号を表わしてもよいことを、当業者は理解するであろう。例えば、電圧、電流、電磁波、磁界または磁気粒子、光領域または光粒子、あるいはそれらの任意の組み合わせにより、上の記述を通して参照されているデータ、命令、コマンド、情報、信号、ビット、シンボルおよびチップを表わしてもよい。
【００６９】
電子ハードウェア、コンピュータソフトウェアまたは両方の組み合わせとして、ここでの開示に関して記述したさまざまな実例となる論理ブロック、モジュール、回路およびアルゴリズムステップを実現してもよいことを、当業者はさらに理解するであろう。ハードウェアおよびソフトウェアのこの互換性を明瞭に説明するために、さまざまな実例となるコンポーネント、ブロック、モジュール、回路、およびステップをそれらの機能の点から一般的に上述した。このような機能がハードウェアまたはソフトウェアとして実現されるかどうかは、特定の用途およびシステム全体に課される設計制約に依存する。当業者は、各特定の用途に対して、さまざまな方法で、記述した機能を実現するかもしれないが、そのような実現の決定は、本開示の範囲からの逸脱を生じさせるものとして解釈すべきではない。
【００７０】
汎用プロセッサ、デジタル信号プロセッサ（ＤＳＰ）、特定用途向け集積回路（ＡＳＩＣ）、フィールドプログラム可能ゲートアレイ（ＦＰＧＡ）または他のプログラム可能論理デバイス、ディスクリートゲートまたはトランジスタ論理、ディスクリートハードウェアコンポーネント、あるいはここで記述した機能を実行するために設計された、これらの任意の組み合わせにより、ここでの開示に関して記述した、さまざまな実例となる、論理ブロック、モジュールおよび回路を実現または実行してもよい。汎用プロセッサはマイクロプロセッサでもよいが、代わりに、プロセッサは任意の従来のプロセッサ、制御装置、マイクロ制御装置、または状態遷移機械であってもよい。計算デバイスの組み合わせ、例えば、ＤＳＰとマイクロプロセッサとの組み合わせ、複数のマイクロプロセッサ、ＤＳＰコアに関連した１つ以上のマイクロプロセッサ、または他の任意のこのような構成として、プロセッサを実現してもよい。
【００７１】
ここでの開示に関して記述した方法またはアルゴリズムのステップを、ハードウェア中で直接、プロセッサにより実行されるソフトウェアモジュール中で、またはその２つの組み合わせ中で具体化してもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバルディスク、ＣＤ−ＲＯＭ、または技術的に知られている他の任意の形態の記憶媒体中に存在してもよい。プロセッサが記憶媒体から情報を読み取ることができ、記憶媒体に情報を書き込むことができるように、例示的な記憶媒体はプロセッサに結合されている。代わりに、記憶媒体はプロセッサと一体化されていてもよい。プロセッサおよび記憶媒体は、ＡＳＩＣ中に存在してもよい。ＡＳＩＣはユーザ端末中に存在してもよい。代わりに、プロセッサおよび記憶媒体は、ユーザ端末中にディスクリートコンポーネントとして存在してもよい。
【００７２】
１つ以上の例示的な設計において、記述した機能は、ハードウェア、ソフトウェア、ファームウェア、またはこれらの任意の組み合わせ中で実現してもよい。ソフトウェアにおいて実現する場合、コンピュータ読み取り可能媒体上に、１つ以上の命令またはコードとして、機能を記憶させてもよく、または機能を送信してもよい。コンピュータ読み取り可能媒体は、コンピュータ記憶媒体と、ある場所から別の場所へのコンピュータプログラムの転送を容易にする何らかの媒体を含む通信媒体との両方を含む。記憶媒体は、汎用または特殊用途のコンピュータによりアクセスできる任意の利用可能な媒体であってもよい。一例として、限定ではないが、そのようなコンピュータ読み取り可能媒体は、ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、あるいは、命令またはデータ構造の形態で所望のプログラムコード手段を搬送または記憶するために使用でき、そして、汎用用途または特殊用途のコンピュータ、あるいは、汎用用途または特殊用途のプロセッサによりアクセスできる他の任意の媒体を備えることができる。さらに、いくつかの接続は、適切にコンピュータ読み取り可能媒体と呼ばれる。例えば、ソフトウェアが、同軸ケーブル、光ファイバケーブル、ツイストペア線、デジタル加入者線（ＤＳＬ）、または、赤外線、無線、およびマイクロ波のようなワイヤレス技術を使用して、ウェブサイト、サーバまたは他のリモート情報源から送信される場合、同軸ケーブル、光ファイバケーブル、ツイストペア線、ＤＳＬ、または、赤外線、無線、およびマイクロ波のようなワイヤレス技術は、媒体の定義に含まれる。ここで使用されるディスク（Ｄｉｓｋおよびｄｉｓｃ）は、コンパクトディスク（ＣＤ）、レーザーディスク（登録商標）、光ディスク、デジタルバーサタイルディスク（ＤＶＤ）、フロッピー（登録商標）ディスク、およびブルーレイディスクを含み、ディスク（ｄｉｓｋ）は通常、磁気的にデータを再生し、一方、ディスク（ｄｉｓｃ）は、レーザにより光学的にデータを再生する。上述の組み合わせもまた、コンピュータ読み取り可能媒体の範囲内に含まれるべきである。
【００７３】
いかなる当業者であっても本開示を実施しまたは使用できるように、本開示の記述をこれまでに提供している。本開示に対してさまざまな修正が当業者に容易に明らかであり、本開示の範囲から逸脱することなく、ここで規定した一般的な原理を、他のバリエーションに適用してもよい。したがって、本開示は、ここで記述した例および設計に限定されるように向けられていないが、ここで開示した原理および新規な特徴に矛盾しない最も広い範囲に一致すべきである。
【図１】
2011522490.tif 000003
【図２】
2011522490.tif 000004
【図３】
2011522490.tif 000005
【図４】
2011522490.tif 000006
【図５】
2011522490.tif 000007
【図６】
2011522490.tif 000008
【図７】
2011522490.tif 000009
【図８】
2011522490.tif 000010
【図９】
2011522490.tif 000011
【国際調査報告】
2011522490.tif 000012
2011522490.tif 000013
2011522490.tif 000014